(57)【要約】【課題】市販の使い捨てマスクの再利用を実現し得る気分転換にも有用なマスクカバーを提供する。【解決手段】市販の使い捨てマスク２を側方から差し入れて該マスク２の表裏両面を被覆するようにした布製のマスクカバー１に関し、横方向に連通する扁平なマスク収容室３を形成し得るよう全体が筒状を成し、少なくとも前記マスク収容室３に収容した状態におけるマスク２の表側を覆う部分に絵柄４がプリントされた構成を採用する。【選択図】図１
0003227473.tif 000002
【実用新案登録請求の範囲】
【請求項１】
市販の使い捨てマスクを側方から差し入れて該マスクの表裏両面を被覆するようにした布製のマスクカバーであって、横方向に連通する扁平なマスク収容室を形成し得るよう全体が筒状を成し、少なくとも前記マスク収容室に収容した状態におけるマスクの表側を覆う部分に絵柄がプリントされていることを特徴とするマスクカバー。
【請求項２】
マスク収容室に収容した状態におけるマスクの裏側を覆う部分にも絵柄がプリントされていることを特徴とする請求項１に記載のマスクカバー。
【請求項３】
マスク収容室に収容した状態におけるマスクの表側を覆う部分と裏側を覆う部分とで異なる絵柄がプリントされていることを特徴とする請求項２に記載のマスクカバー。
【請求項４】
マスク収容室に収容した状態におけるマスクの表側を覆う部分と裏側を覆う部分の夫々に複数段のプリーツが形成されていることを特徴とする請求項１、２又は３に記載のマスクカバー。
【請求項５】
横方向の両端に耳掛け紐が装備されていることを特徴とする請求項１、２、３又は４に記載のマスクカバー。
【考案の詳細な説明】
【技術分野】
【０００１】
本考案は、市販の使い捨てマスクを側方から差し入れて該マスクの表裏両面を被覆するようにした布製のマスクカバーに関するものである。
【背景技術】
【０００２】
２０２０年における新型コロナウイルスの世界的な感染拡大に見られるように、感染症の大規模な流行時にあっては、感染予防のマスクの需要が急速に高まるため、一般的な使い捨てマスクの供給が需要に追いつかなくなって深刻なマスク不足を招き、この種のマスクを簡単に薬局等で購入することができなくなる。
【０００３】
そのような場合、手持ちの枚数のマスクでやり繰りしなければならなくなり、マスク無しで外出するよりも、一度使用したマスクを再利用することを選択せざるを得ない状況に陥ることが考えられるが、使用済みのマスクをそのまま使うことは気持ちの良いことではないし、衛生的にもマスクの再利用が好ましくないことは明らかである。
【考案の概要】
【考案が解決しようとする課題】
【０００４】
しかしながら、一般的な使い捨てのマスクを洗って再利用したいと思っても、その材質が不織布であることから表面が毛羽立ってしまって再利用時の付け心地が悪くなり、マスクとしての性能低下も招きかねないという懸念があるため、使い捨てのマスクを洗って再利用することは現実的に難しいという問題がある。
【０００５】
また、感染の恐れから沈みがちになる気分を転換するべく、お洒落な服装を選んで装いを変えても、無味乾燥な無地のマスクが全体の印象を台無しにしてしまう上、外で出会う殆どの人々が没個性的なマスクで顔を覆っている様子を見るにつけ気分は益々沈んでしまいかねない。
【０００６】
本考案は上述の実情に鑑みてなしたもので、市販の使い捨てマスクの再利用を実現し得る気分転換にも有用なマスクカバーを提供することを目的とする。
【課題を解決するための手段】
【０００７】
本考案は、市販の使い捨てマスクを側方から差し入れて該マスクの表裏両面を被覆するようにした布製のマスクカバーであって、横方向に連通する扁平なマスク収容室を形成し得るよう全体が筒状を成し、少なくとも前記マスク収容室に収容した状態におけるマスクの表側を覆う部分に絵柄がプリントされていることを特徴とするものである。
【０００８】
而して、このようにすれば、市販の使い捨てマスクをマスクカバーの側方からマスク収容室に差し入れて前記マスクの表裏両面を被覆し、該マスクの耳掛け紐を前記マスクカバーの横方向の両端から引き出して装着することが可能となり、前記マスクが顔に直接触れないようにして該マスクを衛生的に保護し、布製のマスクカバーだけを洗って一度使用したマスクを洗わないまま再利用することが可能となる。
【０００９】
しかも、マスク収容室に収容したマスクの表側を覆う部分に絵柄がプリントされていることでファッション性が高まり、マスクカバー自体がファッションアイテムの一つとして新たな機能を発揮することで服装とのコーディネートを楽しむことが可能となる上、外で行き交う人々が個性的なマスクカバーを装着している様子を楽しむことも可能となる。
【００１０】
また、本考案においては、マスク収容室に収容した状態におけるマスクの裏側を覆う部分にも絵柄がプリントされていることが好ましく、このようにすれば、マスクカバーを裏返して使用することで該マスクカバーを長時間に亘り快適に使用することが可能となる。
【００１１】
この際、マスク収容室に収容した状態におけるマスクの表側を覆う部分と裏側を覆う部分とで異なる絵柄をプリントしておけば、マスクカバーを裏返すことで二つの異なる装いを楽しむことが可能となる。
【００１２】
また、本考案においては、マスク収容室に収容した状態におけるマスクの表側を覆う部分と裏側を覆う部分の夫々に複数段のプリーツが形成されていることが好ましく、このようにすれば、マスクカバーの中央部におけるプリーツの折り畳みを縦方向に拡張することで前記マスクカバーの中央部を膨らませて立体的に形付けることが可能となる。
【００１３】
更に、本考案においては、横方向の両端に耳掛け紐が装備されていても良く、このようにすれば、マスク側の耳掛け紐を利用せずにマスクカバー側の耳掛け紐を利用して装着することが可能となる。
【考案の効果】
【００１４】
上記した本考案のマスクカバーによれば、下記の如き種々の優れた効果を奏し得る。
【００１５】
（Ｉ）マスクが顔に直接触れないようにして該マスクを衛生的に保護することができるので、布製のマスクカバーだけを洗って一度使用したマスクを洗わないまま再利用することができ、しかも、絵柄のプリントによりファッション性を高めてマスクカバー自体をファッションアイテムの一つとして新たな機能を発揮させることができるので、服装とのコーディネートを楽しんだり、外で行き交う人々が個性的なマスクカバーを装着している様子を楽しんだりして効果的に気分転換を図ることもできる。
【００１６】
（ＩＩ）マスク収容室に収容した状態におけるマスクの裏側を覆う部分にも絵柄をプリントしておけば、マスクカバーを裏返して使用することで該マスクカバーを長時間に亘り快適に使用することができる。
【００１７】
（ＩＩＩ）マスク収容室に収容した状態におけるマスクの表側を覆う部分と裏側を覆う部分とで異なる絵柄をプリントしておけば、マスクカバーを裏返すことで二つの異なる装いを楽しむことができる。
【００１８】
（ＩＶ）マスク収容室に収容した状態におけるマスクの表側を覆う部分と裏側を覆う部分の夫々に複数段のプリーツを形成しておけば、マスクカバーをプリーツにより中央部を膨らませて立体的な形状で顔に装着することができ、鼻及び口とマスクカバーとの間に隙間を確保して呼吸し易くすることができると共に、顔の曲面に沿わせて装着感も良好なものとすることができる。
【００１９】
（Ｖ）横方向の両端に耳掛け紐を装備しておけば、マスク側の耳掛け紐を利用せずにマスクカバー側の耳掛け紐を利用して装着することができるので、例えば、完全に手持ちのマスクが底をついてしまったような場合に、一時しのぎとしてマスク収容室にキッチンペーパー等を差し入れてマスク代わりとすることができる。
【図面の簡単な説明】
【００２０】
【図１】本考案を実施する形態の一例を示す平面図である。
【図２】図１のマスクカバーにマスクを差し入れている様子を示す説明図である。
【図３】図１のマスクカバーにマスクを収容した状態を示す平面図である。
【図４】図２のマスクを裏返した状態を示す平面図である。
【図５】本形態例のマスクカバーを装着した状態を示す説明図である。
【考案を実施するための形態】
【００２１】
以下本考案の実施の形態を図示例と共に説明する。
【００２２】
図１〜図５は本考案の実施の形態の一例を示すもので、図中における符号１は市販の使い捨てマスク２（図１参照）を側方から差し入れて該マスク２の表裏両面を被覆するようにした布製のマスクカバーを示しており、このマスクカバー１は、横方向に連通する扁平なマスク収容室３を形成し得るよう全体が筒状（図２参照）を成しており、このマスク収容室３に収容した状態におけるマスク２の表裏両面を覆う部分には美観の良い絵柄４（図中では説明の便宜上から一部のみを図示する）がプリントされている。
【００２３】
ここで、絵柄４のプリントは、少なくともマスク収容室３に収容した状態（図３参照）におけるマスク２の表側を覆う部分に施されていれば良いものであるが、本形態例にあっては、マスク収容室３に収容した状態におけるマスク２の裏側を覆う部分にも絵柄４のプリントを施すことで前記マスクカバー１を裏返して使用できるようにしている（いわゆるリバーシブルでの使用を可能としている）。
【００２４】
この際、マスク収容室３に収容した状態におけるマスク２の表側を覆う部分と裏側を覆う部分とで同じ絵柄４が一様にプリントされていても良いが、前記マスク２の表側を覆う部分と裏側を覆う部分とで異なる絵柄４がプリントされていても良い（図４参照）。
【００２５】
また、マスク収容室３に収容した状態におけるマスク２の表側を覆う部分と裏側を覆う部分の夫々には、横方向に延びる複数段（図中では二段）のプリーツ５が形成されており、マスクカバー１の中央部におけるプリーツ５の折り畳みを縦方向に拡張することで前記マスクカバー１の中央部を膨らませ得るようにしてある（図５参照）。
【００２６】
更に、ここに図示している例では、マスクカバー１の横方向の両端に、一対の紐６ａ，６ｂから成る耳掛け紐６が装備されており、前記一対の紐６ａ，６ｂの結び位置しだいで耳掛け紐６の長さ調節ができるようになっているが、マスク収容室３に差し入れたマスク２側の耳掛け紐２ａを利用して装着することも可能であり、マスク２側の耳掛け紐２ａを利用することを前提とする場合は、マスクカバー１側の耳掛け紐６を省くことも可能である。
【００２７】
尚、マスクカバー１側の耳掛け紐６を利用する場合には、図３に示す如く、マスク２側の耳掛け紐２ａを前記マスクカバー１のマスク収容室３を収めて邪魔にならないようにしておくと良い。
【００２８】
而して、このようにマスクカバー１を構成すれば、市販の使い捨てマスク２をマスクカバー１の側方からマスク収容室３に差し入れて前記マスク２の表裏両面を被覆し、該マスク２の耳掛け紐２ａを前記マスクカバー１の横方向の両端から引き出して装着したり、マスクカバー１の耳掛け紐６を利用して装着したりすることが可能となり、前記マスク２が顔に直接触れないようにして該マスク２を衛生的に保護し、布製のマスクカバー１だけを洗って一度使用したマスク２を洗わないまま再利用することが可能となる。
【００２９】
しかも、マスク収容室３に収容したマスク２の表側を覆う部分に絵柄４がプリントされていることでファッション性が高まり、マスクカバー１自体がファッションアイテムの一つとして新たな機能を発揮することで服装とのコーディネートを楽しむことが可能となる上、外で行き交う人々が個性的なマスクカバー１を装着している様子を楽しむことも可能となる。
【００３０】
また、特に本形態例においては、マスク収容室３に収容した状態におけるマスク２の裏側を覆う部分にも絵柄４がプリントされているので、マスクカバー１を裏返して使用することで該マスクカバー１を長時間に亘り快適に使用することが可能となる。
【００３１】
この際、マスク収容室３に収容した状態におけるマスク２の表側を覆う部分と裏側を覆う部分とで異なる絵柄４をプリントしていた場合は、マスクカバー１を裏返すことで二つの異なる装いを楽しむことが可能となる。
【００３２】
また、本形態例では、マスク収容室３に収容した状態におけるマスク２の表側を覆う部分と裏側を覆う部分の夫々に複数段のプリーツ５が形成されているので、マスクカバー１の中央部におけるプリーツ５の折り畳みを縦方向に拡張することで前記マスクカバー１の中央部を膨らませて立体的に形付けることが可能となる。
【００３３】
従って、上記形態例によれば、マスク２が顔に直接触れないようにして該マスク２を衛生的に保護することができるので、布製のマスクカバー１だけを洗って一度使用したマスク２を洗わないまま再利用することができ、しかも、絵柄４のプリントによりファッション性を高めてマスクカバー１自体をファッションアイテムの一つとして新たな機能を発揮させることができるので、服装とのコーディネートを楽しんだり、外で行き交う人々が個性的なマスクカバー１を装着している様子を楽しんだりして効果的に気分転換を図ることもできる。
【００３４】
更に、マスク収容室３に収容した状態におけるマスク２の裏側を覆う部分にも絵柄４をプリントしているので、マスクカバー１を裏返して使用することで該マスクカバー１を長時間に亘り快適に使用することができる。尚、マスク収容室３に収容した状態におけるマスク２の表側を覆う部分と裏側を覆う部分とで異なる絵柄４をプリントしておけば、マスクカバー１を裏返すことで二つの異なる装いを楽しむこともできる。
【００３５】
また、マスク収容室３に収容した状態におけるマスク２の表側を覆う部分と裏側を覆う部分の夫々に複数段のプリーツ５を形成しているので、マスクカバー１をプリーツ５により中央部を膨らませて立体的な形状で顔に装着することができ、鼻及び口とマスクカバー１との間に隙間を確保して呼吸し易くすることができると共に、顔の曲面に沿わせて装着感も良好なものとすることができる。
【００３６】
しかも、マスクカバー１における横方向の両端に耳掛け紐６を装備しているので、マスク２側の耳掛け紐２ａを利用せずにマスクカバー１側の耳掛け紐６を利用して装着することができ、例えば、完全に手持ちのマスク２が底をついてしまったような場合に、一時しのぎとしてマスク収容室３にキッチンペーパー等を差し入れてマスク代わりとすることができる。
【００３７】
尚、本考案のマスクカバーは、上述の形態例にのみ限定されるものではなく、マスクカバーの耳掛け紐は、図示の如き一対の紐を結んで長さ調節可能とする形式以外に、一般的な使い捨てマスクの如きゴム紐としても良いこと、その他、本考案の要旨を逸脱しない範囲内において種々変更を加え得ることは勿論である。
【符号の説明】
【００３８】
１     マスクカバー
２     マスク
２ａ   耳掛け紐
３     マスク収容室
４     絵柄
５     プリーツ
６     耳掛け紐
６ａ   紐
６ｂ   紐
【図１】
0003227473.tif 000003
【図２】
0003227473.tif 000004
【図３】
0003227473.tif 000005
【図４】
0003227473.tif 000006
【図５】
0003227473.tif 000007